(57)【要約】【課題】遊技者に不信感を与えることなく面白みのある遊技を行ない得る入賞装置を備える遊技機を提供する。【解決手段】入賞装置Ｍの入賞空間１７に回転可能に配設したステージ部材３２に、第１、第２および第３のステージ２９,３０,３１が配設される。ステージ部材３２は、入賞装置Ｍの前面側に何れか１つのステージ２９,３０,３１を出現させて停止し得る。第１ステージ２９に、３つのパチンコ球Ｓを貯留可能な第１の貯留部材３９が配設され、該貯留部材３９は上下に揺動可能である。第２ステージ３０に、１つのパチンコ球Ｓを貯留可能な第２の貯留部材４１が配設され、該貯留部材４１は上下に揺動可能である。第１および第２のステージ２９,３０を前面側に出現して停止させる際は、各貯留部材３９,４１の貯留部３９ａ,４１ａからパチンコ球Ｓを放出する方向と特別領域１８とが同一線上になる。【選択図】図１
2005152141.tif 000002
【特許請求の範囲】
【請求項１】
遊技球が通過し得る球入口と、該球入口を開閉可能な開閉部材と、前記球入口を介して遊技球が通入する入賞空間と、該入賞空間に流入した遊技球の通入を許容する特別領域とを有する入賞装置を備え、前記特別領域に遊技球が通入することにより遊技者に有利な特別遊技状態を成立させるようになっている遊技機において、
前記特別領域より後方の入賞空間に、第１ステージおよび第２ステージを含む複数のステージを有し、回転することで前面側に現れるステージを入替可能なステージ部材を設け、
前記第１ステージおよび第２ステージに、遊技球を１個貯留可能な貯留部が形成されて該遊技球を放出可能な貯留部材を設け、
前記第１ステージの貯留部材を、前記第２ステージの貯留部材よりも遊技球が貯留され易く設定し、
前記第１ステージまたは第２ステージが前面側に現れたときに、前記貯留部から遊技球を放出する方向と前記特別領域とが同一線上になるよう構成した
ことを特徴とする遊技機。
【請求項２】
前記第１ステージの貯留部材には、前記貯留部よりも広い幅に設定されて遊技球を受入れる第１受入口が形成され、
前記第２ステージの貯留部材には、前記貯留部と略同じ幅に設定されて遊技球を受入れる第２受入口が形成されている請求項１記載の遊技機。
【請求項３】
前記第１ステージの貯留部材は、複数であって奇数個の遊技球が貯留可能に構成され、該貯留部材の略中央に前記貯留部が形成されている請求項１または２記載の遊技機。
【請求項４】
前記第２ステージの貯留部材は、該第２ステージが前面側に現れたときに、上下または左右に揺動可能に構成されている請求項１〜３の何れかに記載の遊技機。
【発明の詳細な説明】
【技術分野】
【０００１】
この発明は、遊技機に関し、更に詳細には、入賞口から入賞空間に入った遊技球が特別領域に通入することで、遊技者にとって有利な特別遊技を成立させることのできる入賞装置を備えた遊技機に関するものである。
【背景技術】
【０００２】
例えば、所謂羽根モノと称される第２種パチンコ遊技機は、パチンコ球(遊技球)が通入する入賞口を所定条件で開閉する羽根状や扉状等の開閉部材と、種々の遊技部品が配置され、該入賞口から流入するパチンコ球に多彩な動きをさせる入賞空間と、該入賞空間に流入したパチンコ球が最終的に通入する一般領域および特別領域とを備えた入賞装置を備えている。ここで、前記特別遊技状態では、前記入賞空間(入賞口)に１０個のパチンコ球が通入するか、前記開閉部材の１８回の開閉の何れかが満たされたことを１回のラウンド遊技終了条件とし、各ラウンド中に前記特別領域にパチンコ球が通入するのをラウンド継続条件として設定され、ラウンド毎にラウンド継続条件を満たせば、最大で１５回(１５ラウンド)まで特別遊技を継続して行ない得るようになっている。すなわち、特別遊技状態において、遊技者はラウンド継続条件を満たし、より多くの賞球を獲得し得るよう期待して遊技を楽しんでいる。
【０００３】
そこで、前記入賞空間内にパチンコ球を停留させ得る貯留部材を配設し、継続ラウンド中において、該貯留部材を動作させて１個のパチンコ球を所定位置に停留させると共に、所定条件後に当該貯留部材を動作させて停留していたパチンコ球を前記特別領域に向けて案内して通入させ、ほぼ確実にラウンド継続条件を満たすよう構成したパチンコ機が提案されている。しかし、この場合はパチンコ遊技が画一的となり、面白みに欠ける難点が指摘される。
【０００４】
これに対し、前記入賞装置の内部に、パチンコ球を保留(貯留)可能な球保留部を設けた複数のステージを有すると共に、各ステージにおける継続入賞口(特別領域)への入賞率を異ならせたステージ部材を回転可能に設けた遊技機が提案されている(例えば、特許文献１参照)。この特許文献１に開示の入賞装置では、各ステージにおける継続入賞口への入賞率が異なるため、ステージ部材の回転により前面側に現れるステージの種類の変化によって、パチンコ遊技の面白みを増加させることができる。
【特許文献１】特開平６−２２５９６６号公報
【発明の開示】
【発明が解決しようとする課題】
【０００５】
前記特許文献１に開示の入賞装置は、球保留部への保留可能なパチンコ球が少ないステージ程、継続入賞口への入賞率が高くなるよう設定されている。例えば、保留可能球が１個である第１ステージの入賞率は約９０％に設定され、また保留可能球が２個である第２ステージの入賞率は約７０％に設定されている。この場合において、保留可能球が１個と云うことは、パチンコ球は１個しか入る余地がなく、第１ステージの球保留部への入口は小さく(球１個分)、これに対して保留可能球が２個と云うことは、パチンコ球は２個入る余地があり、第２ステージの球保留部への入口は大きく(球２個分)なっている。すなわち、球保留部にパチンコ球が入り易いのは、第１ステージより第２ステージの方であると云える。
【０００６】
このように前記入賞装置においては、前記第２ステージが、前記第１ステージよりもパチンコ球が球保留部に保留され易く、かつ保留されるパチンコ球の個数も多いのにも拘らず、継続入賞口への入賞率は第１ステージよりも低くなっている。このため、その遊技性を遊技者が理解することは容易ではなく、遊技者に対して不信感を与えるおそれがあった。
【０００７】
すなわち本発明は、前述した従来の技術に内在している前記課題に鑑み、これを好適に解決するべく提案されたものであって、遊技者に不信感を与えることなく面白みのある遊技を行ない得る入賞装置を備える遊技機を提供することを目的とする。
【課題を解決するための手段】
【０００８】
前記課題を克服し、所期の目的を好適に達成するため、本発明に係る遊技機は、
遊技球(S)が通過し得る球入口(15,15)と、該球入口(15,15)を開閉可能な開閉部材(16,16)と、前記球入口(15,15)を介して遊技球(S)が通入する入賞空間(17)と、該入賞空間(17)に流入した遊技球(S)の通入を許容する特別領域(18)とを有する入賞装置(M)を備え、前記特別領域(18)に遊技球(S)が通入することにより遊技者に有利な特別遊技状態を成立させるようになっている遊技機において、
前記特別領域(18)より後方の入賞空間(17)に、第１ステージ(29)および第２ステージ(30)を含む複数のステージ(29,30,31)を有し、回転することで前面側に現れるステージ(29,30,31)を入替可能なステージ部材(32)を設け、
前記第１ステージ(29)および第２ステージ(30)に、遊技球(S)を１個貯留可能な貯留部(39a,41a)が形成されて該遊技球(S)を放出可能な貯留部材(39,41)を設け、
前記第１ステージ(29)の貯留部材(39)を、前記第２ステージ(30)の貯留部材(41)よりも遊技球(S)が貯留され易く設定し、
前記第１ステージ(29)または第２ステージ(30)が前面側に現れたときに、前記貯留部(39a,41a)から遊技球(S)を放出する方向と前記特別領域(18)とが同一線上になるよう構成したことを特徴とする。
【０００９】
また、前記第１ステージ(29)の貯留部材(39)には、前記貯留部(39a)よりも広い幅に設定されて遊技球(S)を受入れる第１受入口(39b)が形成され、
前記第２ステージ(30)の貯留部材(41)には、前記貯留部(41a)と略同じ幅に設定されて遊技球(S)を受入れる第２受入口(41b)が形成されている。
【００１０】
更に、前記第１ステージ(29)の貯留部材(39)は、複数であって奇数個の遊技球(S)が貯留可能に構成され、該貯留部材(39)の略中央に前記貯留部(39a)が形成されている。
【００１１】
更にまた、前記第２ステージ(30)の貯留部材(41)は、該第２ステージ(30)が前面側に現れたときに、上下または左右に揺動可能に構成されている。
【発明の効果】
【００１２】
本願の請求項１に係る発明の遊技機によれば、第１ステージの貯留部材を、第２ステージの貯留部材よりも遊技球が貯留され易いようにしたから、第１ステージの貯留部材には容易に遊技球を貯留することができる。すなわち、第１および第２ステージの貯留部材に貯留され易い・難いという差別化を図ることができ、遊技性を向上させることができる。また、第１および第２ステージの貯留部材に、遊技球が１個貯留可能な貯留部を形成すると共に、各ステージが前面側に現れたときに、貯留部から遊技球を放出する方向と特別領域とが同一線上になるよう構成したので、貯留された遊技球を特別領域へ確実に入賞させることができる。更に、貯留部材に対する遊技球の貯留され易さが異なる第１ステージと第２ステージとでは、遊技球が貯留され易い第１ステージにおける特別領域への遊技球の入賞率を、遊技球が貯留され難い第２ステージにおける特別領域への遊技球の入賞率より高くすることができるから、遊技者に遊技性を容易に理解させ得ると共に不信感を与えることもない。
【００１３】
請求項２に係る遊技機によれば、第１ステージにおける貯留部材の第１受入口を貯留部より広い幅に設定すると共に、第２ステージにおける貯留部材の第２受入口を貯留部と略同じ幅に設定したから、第１ステージの貯留部材に、第２ステージの貯留部材よりも遊技球を貯留し易くし得る。
【００１４】
請求項３に係る遊技機によれば、第１ステージの貯留部材に複数(奇数個)の遊技球を貯留可能とし、その中央に遊技球を１個貯留可能な貯留部を形成したから、貯留された複数の遊技球を放出するに際し、貯留部を挟む両側に貯留されている遊技球により中央の遊技球が案内されて、該遊技球を特定領域へ確実に入賞させることができる。
【００１５】
請求項４に係る遊技機によれば、第２ステージの貯留部材を、該ステージが前面側に現れたときに、上下または左右に揺動するよう構成したので、遊技球を更に貯留し難くし得る。
【発明を実施するための最良の形態】
【００１６】
次に、本発明に係る遊技機につき、好適な実施例を挙げて、添付図面を参照して以下に説明する。
【実施例】
【００１７】
(パチンコ機の遊技盤について)
先ず、図２に略示されるパチンコ機(遊技機)の遊技盤Ｊについて要約説明すると、該遊技盤Ｊでは、その前面に取着された略円形状に湾曲形成した案内レール１０により囲まれた遊技領域Ｉにおいて、その略中央部に入賞装置Ｍが配置される。また入賞装置Ｍより下側の遊技領域Ｉにおける左右方向の略中央位置には、第１始動入賞具Ｎ１が配設されると共に、該第１始動入賞具Ｎ１の左右両側に離間して第２始動入賞具Ｎ２,Ｎ２が夫々配設されている。各始動入賞具Ｎ１,Ｎ２は、入賞装置Ｍに対する所定の始動条件を成立させるものであって、通常遊技状態において、第１始動入賞具Ｎ１は、その内部に配設されたスイッチ(図示せず)でパチンコ球(遊技球)Ｓの入賞を検出することにより、入賞装置Ｍの後述する開閉部材１６,１６を２回開閉動させ、また第２始動入賞具Ｎ２は、その内部に配設された図示しないスイッチがパチンコ球Ｓの入賞を検出することにより、開閉部材１６,１６を１回開閉動させるよう設定されている。なお、遊技領域Ｉの適宜位置には、風車とも称されてパチンコ球Ｓの流下方向を変更する案内車１１や、遊技状態に応じて照射パターンが変更制御される電飾装置１２等が配設される。
【００１８】
(入賞装置の本体について)
前記入賞装置Ｍは、図１または図３に示すように、本体１３の外周部に設けたフランジ状の基枠体１４を介して遊技盤Ｊに装着セットするようになっている。この本体１３は、パチンコ球Ｓの通入出経路を形成すると共に各種部材を装着するために、その全体が複合組立式の筺型化されたものであって、適宜デザイン形状に形成される。前記本体１３の上部左右位置には、パチンコ球Ｓ用の入賞口(球入口)１５,１５が形成されると共に、該入賞口１５,１５を開閉してパチンコ球Ｓを２方向から本体１３内に入賞可能にする左右一組の開閉部材１６,１６が配設されている。そして、前記本体１３の内部における前記開閉部材１６,１６の下方位置には、前方に開口すると共に所要の奥行きを有する入賞空間１７が、前記入賞口１５,１５に連通するよう画成され、該入賞口１５,１５に通入したパチンコ球Ｓは該入賞空間１７に流入するよう構成してある。
【００１９】
前記本体１３における入賞空間１７の下側前方位置には、前記入賞空間１７に流入したパチンコ球Ｓの通入を許容すると共に、前記遊技盤Ｊの裏側に通出させる特別領域１８と第１の一般領域１９ａ,１９ａとが夫々設けられている。特別領域１８は、左右方向の略中央の定位置において上方に開口して１つ設けられ、また第１の一般領域１９ａ,１９ａは、特別領域１８を挟む左右両側において上方に開口して夫々設けられる。そして、図１または図５に示すように、前記本体１３における入賞空間１７の左下側後方位置には、前記入賞空間１７に流入したパチンコ球Ｓを、遊技盤Ｊの裏側に通出させる第２の一般領域１９ｂを形成してある。また、前記特別領域１８には、パチンコ球Ｓの通過を検出する特別遊技球検出センサ１８ａ(図１参照)が配設されている。なお、特別領域１８の開口幅(入口幅)は、パチンコ球Ｓの略１個分に設定してある。
【００２０】
(開閉部材について)
前記両開閉部材１６,１６は、図４に示す如く、左右対称な構造、形状に成形された内外方向への傾動形態とされて、前記本体１３の裏側に配設されたソレノイド２０を駆動源とする作動機構２１により開閉動作するよう構成される。すなわち、開閉部材１６,１６は、前記入賞口１５,１５を閉鎖する起立対向位置が通常の閉鎖状態とされ、その上端が外向きに傾倒して入賞口１５,１５を開放した位置が開放状態とされて、前記作動機構２１により両開閉部材１６,１６を閉鎖状態と開放状態とに同時に傾動変化して入賞口１５,１５を開閉するようになっている。従って、各開閉部材１６の夫々が開放状態にある場合に、前記遊技領域Ｉを流下するパチンコ球Ｓが、前記入賞口１５,１５を介して本体１３の内部(入賞空間１７)へ流入可能となる。
【００２１】
図４に示すように、前記本体１３における前記両開閉部材１６,１６の間には、略中央位置が上方に突出する球受け台２２が形成されると共に、該球受け台２２における左右両端部には、前記入賞空間１７に連通する案内出口２３,２３が開設されている。すなわち、前記開閉部材１６,１６が開放状態に傾動した際に、前記入賞口１５,１５に通入したパチンコ球Ｓは、直接または球受け台２２を転動した後に、前記案内出口２３,２３の何れか一方から前記入賞空間１７に流入する。なお、各案内出口２３には、パチンコ球Ｓの通過を検出する球検出センサ２３ａ(図４参照)が配設されており、該球検出センサ２３ａがパチンコ球Ｓの通入を検出することにより、入賞空間１７(入賞装置Ｍ)へのパチンコ球Ｓの入賞個数がカウントされると共に、所定数(例えば１０球)の賞球が払い出されるようになっている。
【００２２】
(入賞空間について)
前記入賞空間１７は、図３に示すように、前方に開口する略矩形箱状に形成されて前記本体１３の大部分を占有するよう構成されると共に、該空間１７の上下方向における上側に偏った位置(下から略２／３の位置)に形成された仕切板２４により、上部入賞空間１７ａと下部入賞空間１７ｂとに仕切られている。なお、前記仕切板２４は、前記案内出口２３,２３の下方に臨む位置において、入賞空間１７の前側略半分を上下に遮蔽する寸法に設定され、案内出口２３,２３から入賞空間１７に流入するパチンコ球Ｓは、先ず上部入賞空間１７ａ内に通入して仕切板２４上に落下し、該仕切板２４を転動して下部入賞空間１７ｂに案内されるようになっている。また図４に示す如く、仕切板２４の左右両側には、上部入賞空間１７ａに通入したパチンコ球Ｓを、下部入賞空間１７ｂの左右両側に向けて通出させる第１通路２４ａ,２４ａが設けられると共に、左右方向の略中央には、上部入賞空間１７ａに通入したパチンコ球Ｓを、下部入賞空間１７ｂの左右方向の略中央後方に向けて通出させる第２通路２４ｂが後方に向けて下方傾斜するよう設けられている。
【００２３】
図１または図５に示すように、前記下部入賞空間１７ｂ(入賞空間１７)の底面には、後述するステージ部材３２が配設される所要径の凹部２５が、前記特別領域１８と第２の一般領域１９ｂとの間に形成されている。すなわち、前記ステージ部材３２の前方位置に前記特別領域１８が設けられ、該ステージ部材３２の後方位置に前記第２の一般領域１９ｂが設けてある。従って、前記特別領域１８は、前記ステージ部材３２とは別体で定位置に設けられている。また、前記下部入賞空間１７ｂ(入賞空間１７)の底面における前記凹部２５より前側は、前方へ向けて下方傾斜する第１傾斜面２６ａが形成されると共に、該凹部２５より後側は、後方へ向けて下方傾斜する第２傾斜面２６ｂが形成されている。なお、前記本体１３の前側下部には、前記第１傾斜面２６ａの前端縁から所要間隔離間した位置に前板１３ａが取着されており、該前板１３ａと第１傾斜面２６ａの前端縁との間に、前記特別領域１８および第１の一般領域１９ａ,１９ａの夫々が上方に向けて開口するよう設けてある。また、前記第２傾斜面２６ｂの後端縁側には、左方に向けて下方傾斜する第３傾斜面２６ｃが形成されており、該第３傾斜面２６ｃの傾斜下端部側に前記第２の一般領域１９ｂが上方に向けて開口するよう設けられている。すなわち、前記下部入賞空間１７ｂ内に流入したパチンコ球Ｓは、前記第１傾斜面２６ａに沿って前記特別領域１８および第１の一般領域１９ａ,１９ａに向けて転動するか、前記第２および第３傾斜面２６ｂ,２６ｃに沿って前記第２の一般領域１９ｂに向けて転動するようになっている。
【００２４】
前記第１傾斜面２６ａの前端部における左右方向の略中央位置には、前記特別領域１８に対して前後に整列して略球１個分の幅寸法で離間して案内片２７,２７が立設されている。そして、この案内片２７,２７は、後述するステージ部材３２に設けられている第１の貯留部材３９、第２の貯留部材４１または案内部材４２から放出されるパチンコ球Ｓの特別領域１８への確実な通入を行なわせると共に、第１傾斜面２６ａを転動するパチンコ球Ｓの特別領域１８への通入を規制するべく機能する。
【００２５】
(振分け部材について)
前記上部入賞空間１７ａには、前記仕切板２４の第２通路２４ｂを挟む左右両側に、図示しない作動機構により左右に揺動される振分け部材２８が夫々揺動可能に配設される。この一対の振分け部材２８,２８は、前記案内出口２３,２３から落下するパチンコ球Ｓを前記第１通路２４ａ,２４ａに向けて案内する第１状態(図３に実線で示す)と、該パチンコ球Ｓを前記第２通路２４ｂに向けて案内する第２状態(図３に２点鎖線で示す)とに変化して、上部入賞空間１７ａに通入したパチンコ球Ｓを、第１通路２４ａ,２４ａまたは第２通路２４ｂに振分け得るよう構成されている。より詳しくは、前記振分け部材２８,２８が第１状態にある場合には、該振分け部材２８,２８が互いに内側(第２通路２４ｂ側)を向くように傾動して、パチンコ球Ｓが第２通路２４ｂに流入するのを規制し、振分け部材２８,２８が第２状態にある場合には、該振分け部材２８,２８が互いに外側(第１通路２４ａ,２４ａ側)を向くように傾動し、パチンコ球Ｓが第１通路２４ａ,２４ａに流入するのを規制するようになっている。
【００２６】
(ステージ部材について)
前記下部入賞空間１７ｂ(入賞空間１７)には、複数(実施例では３つ)のステージ２９,３０,３１を有するステージ部材３２が、前記特別領域１８より後方において水平回転可能に配設されている。すなわち、このステージ部材３２は、前記下部入賞空間１７ｂの底面に設けられた前記凹部２５内に回転可能に収容された円盤状本体３３の上面に、周方向に１２０°の間隔で３枚の画壁３４,３４,３４が放射状に立設され、これら３枚の画壁３４,３４,３４の間に第１〜３ステージ２９,３０,３１が設けられている。そして、後述する駆動機構(駆動手段)３５によりステージ部材３２を回転して、何れか１つのステージ２９,３０,３１を入賞装置Ｍの前面側に入替可能に出現させるよう構成される。すなわち、前記ステージ部材３２は、第１ステージ２９が前記入賞装置Ｍの前面側に出現する第１停止位置、第２ステージ３０が入賞装置Ｍの前面側に出現する第２停止位置および第３ステージ３１が入賞装置Ｍの前面側に出現する第３停止位置で停止して遊技を行なうよう構成される。
【００２７】
なお、ステージ部材３２を前記第１〜第３停止位置で停止したときには、入賞装置Ｍの前面側に出現しているステージ２９,３０,３１を画成している２枚の画壁３４,３４により下部入賞空間１７ｂは前後に仕切られ、後側に位置している他のステージ２９,３０,３１が前側(遊技者)からは見えないよう構成してある(図８,図１０参照)。また、前記仕切板２４の第１通路２４ａ,２４ａや第２通路２４ｂを介して下部入賞空間１７ｂに通入したパチンコ球Ｓは、入賞装置Ｍの前面側に出現しているステージ２９,３０,３１を画成している２枚の画壁３４,３４よりも前側に導かれるようになっており、該画壁３４,３４によりステージ部材３２(下部入賞空間１７ｂ)の後側にパチンコ球Ｓが移動するのを規制するようになっている。
【００２８】
(駆動機構について)
前記ステージ部材３２を回転駆動する駆動機構３５は、図４または図６に示す如く、前記入賞装置Ｍの本体１３における上部に倒立姿勢で配設された正逆回転可能なモータ３６と、該モータ３６に連結されて一体的に回転する係合継手３７と、前記ステージ部材３２の回転中心において前記画壁３４から上方に突出するよう設けられて、前記係合継手３７に対して係脱可能に係合する被係合継手３８とから構成される。そして、モータ３６を正逆回転することで、両継手３７,３８を介してステージ部材３２が正逆方向に回転するようになっている。なお、モータ３６は、図示しない制御手段により駆動制御されることで、ステージ部材３２を前記第１〜第３停止位置で正確に停止させ得るよう構成してある。
【００２９】
(第１ステージについて)
前記ステージ部材３２に設けた前記第１ステージ２９には、図６,図８および図９に示す如く、例えばドラキュラの棺桶を模した第１の貯留部材３９が、前記円盤状本体３３に対して上下方向に揺動可能に配設されている。この第１の貯留部材３９は、上方および円盤状本体３３の径方向外方(前記ステージ部材３２を第１停止位置で停止した状態での前方)に開放するよう形成され、その内部に画成される貯留領域には複数(実施例では３個)のパチンコ球Ｓを一時的に貯留可能に構成される。また貯留領域の略中央には、１個のパチンコ球Ｓのみを一時的に貯留可能で、貯留を解除することにより前記特別領域１８に向けてパチンコ球Ｓを放出可能な貯留部３９ａが形成されている。実施例に係る第１の貯留部材３９の構成を更に詳しく述べれば、その底板３９ｃの左右両端縁に一対の側壁３９ｄ,３９ｄが立設されると共に、該底板３９ｃの後端縁に後壁３９ｅが立設され、両側壁３９ｄ,３９ｄおよび後壁３９ｅにより貯留領域が画成され、両側壁３９ｄ,３９ｄの間がパチンコ球Ｓの第１受入口３９ｂとなっている。また、両側壁３９ｄ,３９ｄの間における底板３９ｃに、略球１個分の貯留幅で左右方向に離間して２つの突片４０,４０が立設され、両突片４０,４０の間に前記貯留部３９ａを形成してある。更に、底板３９ａの幅方向の中央で貯留部３９ａに対応する部位には、該底板３９ａから前側に所定長さだけ延出する案内部３９ｆが形成され、貯留部３９ａから放出されるパチンコ球Ｓを該案内部３９ｆにより前側に向けて好適に案内し得るよう構成してある。なお、第１の貯留部材３９へのパチンコ球Ｓの第１受入口３９ｂの幅寸法(貯留領域の幅寸法)は、３個のパチンコ球Ｓを直線的に並べて受入れ可能な広さに設定され、貯留領域(貯留部３９ａ)にパチンコ球Ｓを貯留し易く構成されている。すなわち、第１受入口３９ｂは貯留部３９ａより広い幅に設定されて、前記第１の貯留部材３９は、前記貯留部３９ａの左右両隣にも各１個のパチンコ球Ｓを貯留し得るようになっており、これにより第１の貯留部材３９は合計で３個のパチンコ球Ｓを貯留できる。
【００３０】
前記第１の貯留部材３９は、後述する揺動機構(駆動手段)４４を介して上向き状態と下向き状態との間を揺動するよう構成され、その上向き状態では前記貯留領域にパチンコ球Ｓを貯留可能とし得ると共に、下向き状態では貯留しているパチンコ球Ｓを外方に放出し得るよう構成される。すなわち、前記揺動機構４４により前記第１の貯留部材３９を上向き状態から下向き状態に変位させることでパチンコ球Ｓの貯留が解除されて、該パチンコ球Ｓが下方に落下する。ここで、前記ステージ部材３２を前記第１停止位置で停止したときには、上向き状態の第１の貯留部材３９における貯留領域(貯留部３９ａ)が、前記仕切板２４の第２通路２４ｂから放出されるパチンコ球Ｓを受入れ可能な位置に臨むと共に、該貯留部３９ａからのパチンコ球Ｓの放出方向と前記特別領域１８とが同一線上になるよう設定されている。更に、第１の貯留部材３９と特別領域１８とは、前記貯留部３９ａから放出されたパチンコ球Ｓが特別領域１８に直接的に投入される位置関係に設定してある。
【００３１】
ここで、前述のように、前記ステージ部材３２は、前記駆動機構３５により回転されて、前記第１の貯留部材３９の貯留部３９ａに貯留したパチンコ球Ｓの放出方向が前記特別領域１８を向く第１位置(すなわち第１停止位置)と、パチンコ球Ｓの放出方向が前記第２の一般領域１９ｂを向く第２位置(すなわち第２または第３停止位置)とに変位可能である。すなわち、前記ステージ部材３２を第１位置で停止し、前記第１の貯留部材３９を上向き状態から下向き状態に変位する第１の動作を行なうことにより、貯留したパチンコ球Ｓを前記特別領域１８に向けて放出し得ると共に、前記駆動機構３５によりステージ部材３２を回転して前記第２位置に変位し、かつ第１の貯留部材３９を上向き状態から下向き状態に変位する第２の動作を行なうことにより、貯留したパチンコ球Ｓを前記第２の一般領域１９ｂに向けて放出し得るよう構成されている。従って、前記第２の動作を行なった際には、前記第１の貯留部材３９の貯留部３９ａに貯留したパチンコ球Ｓは、前記下部入賞空間１７ｂ(入賞空間１７)の後方に向けて放出されて、前記第２の一般領域１９ｂを通出する。なお、実施例では、前記第１の動作により前記貯留部３９ａから放出されたパチンコ球Ｓは、前記第１傾斜面２６ａの前端部に立設された前記案内片２７,２７の間に落下し、両案内片２７,２７により特別領域１８に略確実に通入されるよう構成される。
【００３２】
また、前記第１停止位置(第１位置)において前記第１の貯留部材３９によるパチンコ球Ｓの貯留を解除した際に、前記貯留部３９ａから放出されたパチンコ球Ｓが前記特別領域１８に通入する確率(以下、送入率と云う)は略１００％に設定されている。すなわち、前記ステージ部材３２が第１停止位置に停止した場合は、略球１個分の入口幅に設定された特別領域１８と、略球１個分の貯留幅に設定された貯留部３９ａとが同一線上になるよう設定されており、その状態において、貯留部３９ａに貯留されたパチンコ球Ｓを特別領域１８に向けて放出するため、放出されたパチンコ球Ｓは、略確実に特別領域１８に通入するよう構成される。
【００３３】
(第２ステージについて)
前記ステージ部材３２に設けた前記第２ステージ３０には、図６,図１０および図１１に示す如く、例えばサメの頭部を模した第２の貯留部材４１が、前記円盤状本体３３に対して上下方向に揺動可能に配設されている。この第２の貯留部材４１は、サメの口に対応して円盤状本体３３の径方向外方(前記ステージ部材３２を第２停止位置で停止した状態での前方)に開放して、１個のパチンコ球Ｓのみを貯留可能な貯留部(貯留領域)４１ａが形成され、貯留を解除することにより貯留部４１ａに貯留されているパチンコ球Ｓを前記特別領域１８に向けて放出可能に構成される。実施例に係る第２の貯留部材４１の構成を更に詳しく述べれば、該貯留部材４１は、上向きに膨出するよう湾曲する上半体４１ｃと下向きに膨出するよう湾曲する下半体４１ｄとから構成され、その前部には、上下半体４１ｃ,４１ｄ間に略球１個分の貯留幅に設定されて前方に開口する貯留領域が形成され、該貯留領域が前記貯留部４１ａとして機能する。すなわち、第２の貯留部材４１では、貯留部４１ａイコール貯留領域となり、また上下半体４１ｃ,４１ｄにより第２の貯留部材４１へのパチンコ球Ｓの第２受入口４１ｂが形成される。更に、下半体４１ｄの幅方向の中央部には、断面凹状の案内部４１ｅが、該下半体４１ｄから前側に所定長さだけ延出するよう形成され、貯留部４１ａから放出されるパチンコ球Ｓを前側に向けて好適に案内し得るよう構成してある。なお、前記第２受入口４１ｂの幅寸法(貯留領域の幅寸法)も、貯留部４１ａの幅と略同じく、１個のパチンコ球Ｓのみを受入れ可能な広さに設定され、前記第１の貯留部材３９に比してパチンコ球Ｓが貯留され難く構成してある。すなわち、前記第２の貯留部材４１へのパチンコ球Ｓの貯留率は、前記第１の貯留部材３９へのパチンコ球Ｓの貯留率より低く設定されており、第１の貯留部材３９と第２の貯留部材４１との間において、パチンコ球Ｓが貯留し易い・難いという差別化が図られている。なお、貯留率とは、第２通路２４ｂから放出されたパチンコ球Ｓが貯留部３９ａ,４１ａに貯留される割合(確率)であり、該貯留率が高いほどパチンコ球Ｓが貯留部３９ａ,４１ａに貯留され易く、低いほど貯留され難いことを示す。
【００３４】
前記第２の貯留部材４１は、後述する揺動機構４４を介して上向き状態と下向き状態との間を揺動するよう構成され、その上向き状態では前記貯留部４１ａにパチンコ球Ｓを貯留し得ると共に、下向き状態では貯留しているパチンコ球Ｓを外方に放出し得るよう構成される。すなわち、前記揺動機構４４により前記第２の貯留部材４１を上向き状態から下向き状態に変位させることでパチンコ球Ｓの貯留が解除され、該パチンコ球Ｓが下方に落下する。ここで、前記ステージ部材３２を前記第２停止位置で停止したときには、上向き状態の第２の貯留部材４１における貯留部４１ａが、前記仕切板２４の第２通路２４ｂから放出されるパチンコ球Ｓを受入れ可能な位置に臨むと共に、該貯留部４１ａからのパチンコ球Ｓの放出方向と前記特別領域１８とが同一線上になるよう設定されている。更に、第２の貯留部材４１と特別領域１８とは、前記貯留部４１ａから放出されたパチンコ球Ｓが特別領域１８に直接的に投入される位置関係に設定してある。
【００３５】
ここで、前述のように、前記ステージ部材３２は、前記駆動機構３５により回転されて、前記第２の貯留部材４１の貯留部４１ａに貯留したパチンコ球Ｓの放出方向が前記特別領域１８を向く第１位置(すなわち第２停止位置)と、パチンコ球Ｓの放出方向が前記第２の一般領域１９ｂを向く第２位置(すなわち第１または第３停止位置)とに変位可能である。すなわち、前記ステージ部材３２を第１位置で停止し、前記第２の貯留部材４１を上向き状態から下向き状態に変位する第１の動作を行なうことにより、貯留したパチンコ球Ｓを前記特別領域１８に向けて放出し得ると共に、前記駆動機構３５によりステージ部材３２を回転して前記第２位置に変位し、かつ第２の貯留部材４１を上向き状態から下向き状態に変位する第２の動作を行なうことにより、貯留したパチンコ球Ｓを前記第２の一般領域１９ｂに向けて放出し得るよう構成されている。従って、前記第２の動作を行なった際には、前記第２の貯留部材４１の貯留部４１ａに貯留したパチンコ球Ｓは、前記下部入賞空間１７ｂ(入賞空間１７)の後方に向けて放出されて、前記第２の一般領域１９ｂを通出する。
【００３６】
また、前記第２停止位置(第１位置)において前記第２の貯留部材４１によるパチンコ球Ｓの貯留を解除した際に、前記貯留部４１ａから放出されたパチンコ球Ｓが前記特別領域１８に通入する確率(以下、送入率と云う)は略１００％に設定されている。すなわち、前記ステージ部材３２が第２停止位置に停止した場合は、略球１個分の入口幅に設定された特別領域１８と、略球１個分の貯留幅に設定された貯留部４１ａとが同一線上になるよう設定されており、その状態において、貯留部４１ａに貯留されたパチンコ球Ｓを特別領域１８に向けて放出するため、放出されたパチンコ球Ｓは、略確実に特別領域１８に通入するよう構成される。
【００３７】
(第３ステージについて)
前記ステージ部材３２に設けた前記第３ステージ３１には、図５または図７に示す如く、例えばワニの頭部を模した案内部材４２が、その口先を前記円盤状本体３３の径方向外方に向けた姿勢で、該円盤状本体３３に対して上下方向に揺動可能に配設されている。この案内部材４２は、下アゴ部４２ａと上アゴ部４２ｂとからなり、該案内部材４２は後述する揺動機構４４により上下方向に揺動するよう構成され、この揺動時には、下アゴ部４２ａに対して上アゴ部４２ｂが開閉するよう構成される。なお、下アゴ部４２ａに対して上アゴ部４２ｂが開放したときには、下アゴ部４２ａが、円盤状本体３３の径方向外方(前記ステージ部材３２を第３停止位置で停止した状態での前方)に向かうにつれて下方傾斜するよう傾動する。
【００３８】
前記案内部材４２には、パチンコ球Ｓの通過を許容する通路４２ｃが、上下のアゴ部４２ａ,４２ｂ内において円盤状本体３３の径方向に延在するよう形成されると共に、上アゴ部４２ｂにおける径方向内部側には、上下方向に貫通し、パチンコ球Ｓの通過を許容する通口４２ｄが形成されている。そして、この案内部材４２は、第３ステージ３１が入賞装置Ｍの前面側の第３停止位置に停止したときに、前記通口４２ｄが、前記仕切板２４の第２通路２４ｂから放出されるパチンコ球Ｓを受入れ可能な位置に臨むと共に、前記通路４２ｃからのパチンコ球Ｓの放出方向と前記特別領域１８とが同一線上になるよう設定されている。なお、実施例の案内部材４２は、上下のアゴ部４２ａ,４２ｂが開放および閉成の何れの状態においても、前記通口４２ｄから通入したパチンコ球Ｓを、通路４２ｃを介して外方に放出し得るよう構成してある。すなわち、前記案内部材４２には、パチンコ球Ｓを一時的に貯留し得る貯留部は設けられておらず、該案内部材４２にパチンコ球Ｓを貯留し得ないようになっている。
【００３９】
前記第３のステージ３１が前面側に出現した状態では、前記ステージ部材３２が所定角度範囲で左右に揺動するよう設定されており、パチンコ球Ｓを貯留しないことと相俟って、前記案内部材４２から放出されたパチンコ球Ｓが前記特別領域１８に通入する確率(以下、誘導率と云う)は低くなっている。なお、誘導率とは、案内部材４２に誘導されて放出されたパチンコ球Ｓが前記特別領域１８に通入する割合(確率)であり、該誘導率が高いほどパチンコ球Ｓが特別領域１８に通入し易く、低いほど通入し難いことを示す。ここで、前記誘導率と前記送入率とは、各ステージ２９,３０,３１が入賞装置Ｍの前面側に出現している状態で、前記第２通路２４ｂから落下したパチンコ球Ｓを特別領域１８に通入させる確率として対応する関係にある。ここで、前記第２の貯留部材４１の送入率は前述の如く略１００％であるのに対して、前記誘導率はこれより低く設定されている。従って、前記第３ステージ３１が前面側に出現した状態での特別領域１８への通入率(入賞率)は、前記第２ステージ３０が前面側に出現した状態での特別領域１８への通入率(入賞率)より低くなっている。すなわち、実施例のステージ部材３２における各ステージ２９,３０,３１の特別領域１８への通入率は、第３ステージ３１＜第２ステージ３０＜第１ステージ２９の関係に設定されている。なお、通入率(入賞率)とは、前記入賞空間１７に流入したパチンコ球Ｓが、前記特別領域１８に通入する割合(確率)であって、送入率と貯留率の関係から導出され、該通入率が高いほどパチンコ球Ｓが、特別領域１８に通入し易く、低いほど通入し難いことを示す。
【００４０】
(揺動機構について)
前記ステージ部材３２の下方に臨む前記本体１３には、図７に示す如く、本体裏側に配設されたモータ４３を駆動源とする揺動機構４４が配設されており、該揺動機構４４が、ステージ部材３２の回転を許容する状態で、前記各ステージ２９,３０,３１に配設された第１および第２の貯留部材３９,４１と案内部材４２に連繋されている。そして、揺動機構４４を駆動することで、両貯留部材３９,４１および案内部材４２が同期的に上下方向に揺動するよう構成される。なお、前記モータ４３には、スリット円盤と光電センサ等からなる位置検出手段４５が配設され、該位置検出手段４５からの信号に基づいて、図示しない制御手段によりモータ４３が回転制御されて、前記第１および第２の貯留部材３９,４１を上向き状態または下向き状態に保持し得ると共に、前記案内部材４２を開放状態または閉成状態に保持し得るようにしてある。
【００４１】
このように、実施例においては、前記ステージ部材３２と第１および第２の貯留部材３９,４１から、パチンコ球Ｓを一時的に停留し得ると共に、停留したパチンコ球Ｓを前記特別領域１８または第２の一般領域１９ｂに向けて放出し得る貯留手段が構成される。すなわち、前記第１および第２の貯留部材３９,４１を上向き状態に変位して貯留部３９ａ,４１ａにパチンコ球Ｓを貯留したもとで前記ステージ部材３２を回転することにより、該第１および第２の貯留部材３９,４１に貯留したパチンコ球Ｓの放出方向を変更し得るようになっている。
【００４２】
(開閉部材、振分け部材およびステージ部材の動作態様について)
前記開閉部材１６,１６、振分け部材２８,２８およびステージ部材３２の動作態様につき簡単に説明する。通常遊技状態において、前記開閉部材１６,１６の夫々は、前記閉鎖状態に位置すると共に、前記振分け部材２８,２８は第１状態で停止している。また前記ステージ部材３２は、前記第２ステージ３０が入賞装置Ｍの前面側に位置する前記第２停止位置で停止すると共に、前記第２の貯留部材４１は下向き状態に保持されるようになっている。なお、前記第１の貯留部材３９も下向き状態とされると共に、前記案内部材４２においては上下のアゴ部４２ａ,４２ｂが閉成状態に保持される。
【００４３】
前記第１または第２始動入賞具Ｎ１,Ｎ２にパチンコ球Ｓが通入すると、前記開閉部材１６,１６の夫々は、パチンコ球Ｓが通入した始動入賞具Ｎ１,Ｎ２に応じて前記閉鎖状態から開放状態に１回または２回変位する。また前記振分け部材２８,２８の夫々も、パチンコ球Ｓが通入した始動入賞具Ｎ１,Ｎ２に応じた態様で第１状態から第２状態への揺動を行ない、前記入賞口１５,１５に通入したパチンコ球Ｓを左右(第１通路２４ａ,２４ａ)または中央後方(第２通路２４ｂ)に振分け得るよう設定される。更に、前記ステージ部材３２においては、第２の貯留部材４１を上向き状態としたもとで、第２ステージ３０が後側に隠れない所定角度範囲でステージ部材３２を左右に揺動する動作を行なった後、第２の貯留部材４１を下向き状態に戻すよう構成される。
【００４４】
ここで、前記第１または第２始動入賞具Ｎ１,Ｎ２へのパチンコ球Ｓの入賞に基づく前記開閉部材１６,１６の開放状態中に、パチンコ球Ｓが前記入賞装置Ｍに入賞すると共に、該パチンコ球Ｓが前記特別領域１８に通入して前記特別遊技球検出センサ１８ａにより検出されると、遊技者に有利な大当り(特別遊技)が成立する。前記大当りは、所定回数(例えば１５回)のラウンド遊技から構成され、大当り継続条件が成立することを条件に、ラウンド遊技が順次移行して大当りが継続するようになっている。すなわち、前記入賞空間１７への１０個のパチンコ球Ｓの通入または前記開閉部材１６,１６の１８回の開閉の何れかが満たされることを１回のラウンド遊技が終了するラウンド遊技終了条件として設定されると共に、ラウンド遊技中あるいはラウンド遊技終了条件が成立してから所定の設定時間(所謂有効時間、図１２または図１３参照)が経過するまでの間に前記特別領域１８にパチンコ球Ｓが通入することを大当り継続条件として設定され、最大で１５回までラウンド遊技を行なって大当りを継続し得るようになっている。なお、前記通常遊技状態とは、特別遊技(大当り)状態以外の遊技状態のことをいう。
【００４５】
次に、特別遊技状態における開閉部材１６,１６、振分け部材２８,２８およびステージ部材３２の動作態様につき説明する。前記大当りが成立すると、所定時間の経過後(インターバル後)に１回目のラウンド遊技が開始して、前記開閉部材１６,１６が前記ラウンド遊技終了条件を満たすまで開閉動作を繰返すようになっている。また、大当りが成立すると、前記制御手段はステージ部材３２における何れのステージ２９,３０,３１を入賞装置Ｍの前面側に出現させて遊技を行なうかを決定し、前記インターバル時にステージ部材３２を１回転以上回転して該ステージ部材３２を前記第１〜第３停止位置の何れかの停止位置で停止し、決定された特定のステージ２９,３０,３１を入賞装置Ｍの前面側に出現させる。このように、前記各ラウンド遊技の初めには、前記ステージ部材３２を回転するインターバル演出が行なわれる。
【００４６】
前記第１ステージ２９に決定された場合は、前記第１の貯留部材３９は上向き状態に保持されると共に、ステージ部材３２はラウンド遊技終了条件を満たすまで前記第１停止位置で停止保持される(図１２参照)。また第２ステージ３０に決定された場合は、前記第２の貯留部材４１は上向き状態に保持されると共に、所定の条件(例えば入賞口１５に１個目のパチンコ球Ｓが通入したこと)が満たされてからラウンド遊技終了条件を満たすまでの間、ステージ部材３２が前記第２停止位置を中心として所定角度範囲で左右に揺動する(図１３参照)。なお、第３ステージ３１に決定された場合は、ラウンド遊技終了条件を満たすまでステージ部材３２が前記第３停止位置を中心として所定角度範囲で左右に揺動すると共に、前記案内部材４２は、所定の条件(例えば入賞口１５に５個目のパチンコ球Ｓが通入したこと)が満たされるまで上下のアゴ部材４２ａ,４２ｂを閉成状態に保持し、それ以降はラウンド遊技終了条件を満たすまで開閉動作を繰返すように設定される。
【００４７】
また、図１２または図１３に示すように、各ラウンド遊技に際して前記第１ステージ２９または第２ステージ３０が前記入賞装置Ｍの前面側に位置する場合には、前記入賞空間１７に１０個のパチンコ球Ｓが通入するか、前記開閉部材１６,１６が１８回開閉して前記ラウンド遊技終了条件が成立するとエンディング演出が行なわれる。このエンディング演出では、前記第１ステージ２９に決定されていた場合は、前記有効時間内に、前記ステージ部材３２を第１位置(すなわち第１停止位置)で停止させたまま前記第１の貯留部材３９を上向き状態から下向き状態に変位させて前記第１の動作を行ない(図１２参照)、前記第２ステージ３０に決定されていた場合は、該有効時間内に、前記ステージ部材３２を第１位置(すなわち第２停止位置)で停止して前記第２の貯留部材４１を上向き状態から下向き状態に変位させて前記第１の動作を行なうようになっている(図１３参照)。
【００４８】
ここで、前記第１の貯留部材３９または第２の貯留部材４１が前記第１の動作を行なう際に、該貯留部材３９,４１の貯留部３９ａ,４１ａにパチンコ球Ｓが貯留されていた場合には、該貯留部３９ａ,４１ａから放出されたパチンコ球Ｓが、前記特別領域１８に通入して前記大当り継続条件が成立し、次のラウンド遊技に移行する。なお、次のラウンド遊技に移行すると、前述と同様にインターバル時に、前記制御手段により決定された特定のステージ２９,３０,３１を入賞装置Ｍの前面側に出現させて、前述と同様のラウンド遊技が行なわれる。そして、前記大当り継続条件の成立に伴い、最大１５回まで前記ラウンド遊技を行なって大当りを継続し得るようになっている。一方、前記第１の動作を行なう際に、前記第１または第２の貯留部材３９,４１の貯留部３９ａ,４１ａにパチンコ球Ｓが貯留されていない場合には、該貯留部３９ａ,４１ａからパチンコ球Ｓが放出されないため、前記大当り継続条件が成立することはなく、エンディング演出が終了する。なお、エンディング演出の終了は、大当りの終了を意味し、該エンディング演出終了後には通常遊技状態に切り替わることとなる。
【００４９】
前記第１の貯留部材３９または第２の貯留部材４１が前記第１の動作を行なった後は、前記有効時間が経過するまで前記ステージ部材３２および各貯留部材３９,４１が停止するよう設定される。ここで、前記ステージ部材３２および各貯留部材３９,４１が停止する時間としては、前記貯留部３９ａ,４１ａから放出されたパチンコ球Ｓが前記特別領域１８まで到達する時間よりも長く設定され、放出されたパチンコ球Ｓが特別領域１８に通入する前に前記有効時間が経過しないようになっている。また、前記有効時間経過後は、少なくとも１回転してから前記ステージ部材３２を第２停止位置で停止させて第２ステージ３０を入賞装置Ｍの前面側に停止させた状態で、所定時間だけ各貯留部材３９,４１および案内部材４２を揺動して前記エンディング演出が終了するよう設定されている。なお、前記制御装置により、前記第３ステージ３１が選択された場合には、前記案内部材４２に貯留部を設けていないことから、当該ラウンド遊技中に前記特別領域１８にパチンコ球Ｓが通入した場合にのみ、次のラウンド遊技に移行するようになっている。
【００５０】
前記振分け部材２８,２８は、前記決定されたステージの種類に応じて異なる動作を行なうよう設定される。すなわち、第１ステージ２９に決定された場合は、前記開閉部材１６,１６が開閉動作を開始する(インターバル演出が終了する)と同時に振分け部材２８,２８が第１状態から第２状態に揺動し、ラウンド遊技終了条件を満たすまでこの第２状態に保持される(図１２参照)。これに対し第２ステージ３０に決定された場合は、前記第２の貯留部材４１が左右の揺動を開始するときに、前記第２の貯留部材４１が第１状態から第２状態に揺動し、ラウンド遊技終了条件を満たすまでこの第２状態に保持される(図１３参照)。更に、第３ステージ３１に決定された場合は、前記開閉部材１６,１６が開閉動作を開始する(インターバル演出が終了する)と同時に振分け部材２８,２８は第１状態と第２状態との間の揺動を繰返し、所定の条件(例えば入賞口１５に９個目のパチンコ球Ｓが通入したこと)が満たされると、ラウンド遊技終了条件を満たすまで第２状態に保持されるよう設定されている。
【００５１】
前記各ラウンド遊技中に、前記第１または第２の貯留部材３９,４１に貯留したパチンコ球Ｓとは別のパチンコ球Ｓが前記特別領域１８に通入する、イレギュラー入賞が発生した場合の前記ステージ部材３２の動作態様につき説明する。前記イレギュラー入賞が発生すると大当り継続終了条件が成立し、前記エンディング演出を行なうことなく次のラウンド遊技へ移行してインターバル演出が行なわれる。ここで、前記インターバル演出時には、前記ステージ部材３２を回転した際に、前記第１または第２の貯留部材３９,４１を上向き状態から下向き状態に変位させて前記第２の動作を行なうよう設定してある。すなわち、前記イレギュラー入賞が発生した際には、前記第１または第２の貯留部材３９,４１の貯留部３９ａ,４１ａに貯留したパチンコ球Ｓを前記入賞空間１７の後方位置に形成した前記第２の一般領域１９ｂに向けて放出するよう構成されている。なお、前記イレギュラー入賞が発生するパターンとしては、前記第２通路２４ｂから放出されたパチンコ球Ｓが第１または第２の貯留部材３９,４１に当たって弾かれて、直接特別領域１８に入賞するパターンや、第１通路２４ａ,２４ａから放出されたパチンコ球Ｓが入賞装置Ｍの壁部等に当たって弾かれて直接特別領域１８に入賞するパターン等がある。
【００５２】
〔実施例の作用〕
次に、本実施例に係るパチンコ機の作用につき説明する。前記遊技盤Ｊの盤面に打ち出され、前記遊技領域Ｉを流下するパチンコ球Ｓが、前記第１始動入賞具Ｎ１または第２始動入賞具Ｎ２に通入すると、前記開閉部材１６,１６が１回または２回開閉する。このとき、前記入賞口１５,１５から前記入賞装置Ｍの内部に通入したパチンコ球Ｓは、前記案内出口２３,２３を介して上部入賞空間１７ａに通入する。また前記振分け部材２８,２８が第１状態と第２状態との間を揺動し、上部入賞空間１７ａに通入したパチンコ球Ｓは、直接または仕切板２４を転動した後に、前記第１通路２４ａ,２４ａまたは第２通路２４ｂを介して下部入賞空間１７ｂに流入する。なお、前記振分け部材２８,２８が第１状態にある場合には、前記第１通路２４ａ,２４ａ側にパチンコ球Ｓが振分けられ、該振分け部材２８,２８が第２状態にある場合には、前記第２通路２４ｂ側にパチンコ球Ｓが振分けられる。
【００５３】
前記第１通路２４ａ,２４ａを介して下部入賞空間１７ｂの左右両側に流入したパチンコ球Ｓは、前記第１傾斜面２６ａに落下して前側に向けて転動し、前記第１の一般領域１９ａ,１９ａに通入する。なお、第１傾斜面２６ａを転動するパチンコ球Ｓは、前記案内片２７,２７に規制されて、前記特別領域１８に通入することは殆どない。
【００５４】
これに対して、前記第２通路２４ｂを介して下部入賞空間１７ｂの中央後方に流入したパチンコ球Ｓは、前記第２停止位置に停止している第２ステージ３０における第２の貯留部材４１に向けて落下する。このパチンコ球Ｓの落下タイミングにおいて、第２の貯留部材４１が上向き状態となっていれば、該貯留部材４１の前記貯留部４１ａにパチンコ球Ｓが入り、第２の貯留部材４１が下向き状態となることで貯留部４１ａから放出されるパチンコ球Ｓは、前記特別領域１８に通入し、特別遊技状態に移行する(図１０,図１１参照)。
【００５５】
前述したように、大当りが成立すると、前記制御手段ではステージ部材３２における何れのステージ２９,３０,３１を入賞装置Ｍの前面側に出現させるかを決定し、前記駆動機構３５を駆動制御してインターバル演出を行なった後に、該ステージ部材３２を回転し、第１〜第３停止位置で停止して決定されたステージ２９,３０,３１を該入賞装置Ｍの前面側に出現させる。
【００５６】
(第１ステージに決定された場合)
前記第１ステージ２９を入賞装置Ｍの前面側に出現させる場合は、前記駆動機構３５を駆動して前記ステージ部材３２を前記第１停止位置で停止し、ラウンド遊技を開始する。また前記揺動機構４４が駆動されて、前記第１の貯留部材３９は下向き状態から上向き状態に揺動され、この上向き状態に保持される。更に、前記振分け部材２８,２８は、第２状態に保持される。すなわち、前記入賞口１５,１５から上部入賞空間１７ａに通入したパチンコ球Ｓの多くは、振分け部材２８,２８を介して前記第２通路２４ｂに向けて振分けられ、下部入賞空間１７ｂの中央後方に流入することとなる。従って、該パチンコ球Ｓは、前記第１の貯留部材３９の上方に落下する。
【００５７】
このとき、前記ステージ部材３２が停止状態で、かつ第１の貯留部材３９は上向き状態で保持されるから、前記第２通路２４ｂから落下するパチンコ球Ｓは、高い割合で第１の貯留部材３９の貯留領域(貯留部３９ａ)に貯留される(図８参照)。前述した如く、第１の貯留部材３９における貯留領域の第１受入口３９ｂは、３個のパチンコ球Ｓを受入れ可能な広さに設定されているから、第２通路２４ｂから落下するパチンコ球Ｓは、第１の貯留部材３９に貯留され易い。
【００５８】
そして、前記ラウンド遊技中に、前記入賞空間１７に１０個のパチンコ球Ｓが通入するか、前記開閉部材１６,１６が１８回開閉して前記ラウンド遊技終了条件が成立すると、前記ステージ部材３２を前記第１位置(すなわち第１停止位置)で停止させたまま、前記第１の貯留部材３９を上向き状態から下向き状態に変位する前記第１の動作を行ない、図９に示す如く、該第１の貯留部材３９の貯留領域に貯留されている３個のパチンコ球Ｓを夫々前方に向けて放出する。前述したように、前記ステージ部材３２を前記第１位置に停止した状態では、前記貯留部３９ａに貯留したパチンコ球Ｓの前記特別領域１８への送入率を略１００％に設定してあるから、該パチンコ球Ｓを前記特別領域１８に略確実に通入させ得る。このように、各ラウンド遊技中に、パチンコ球Ｓが特別領域１８に通入しないとき、すなわち前記イレギュラー入賞が発生しないときには、前記第１の貯留部材３９の貯留部３９ａに貯留したパチンコ球Ｓを特別領域１８に向けて放出する第１の動作をステージ部材３２および第１の貯留部材３９に行なわせることで、大当り継続条件を成立させて次のラウンド遊技に移行させ、大当りを継続することができる。従って、遊技者の期待感を損ねることはない。なお、第１の貯留部材３９に貯留されている３個のパチンコ球Ｓを放出する際は、中央にあるパチンコ球Ｓが、両側にあるパチンコ球Ｓ,Ｓにより挟まれた状態で３個同時に落下するため、中央のパチンコ球Ｓは略真っ直ぐに放出され、特別領域１８への送入率はより高められている。
【００５９】
また、前記入賞空間１７に１０個のパチンコ球Ｓが通入するか、前記開閉部材１６,１６が１８回開閉する前に、前記特別領域１８にパチンコ球Ｓが通入してイレギュラー入賞が発生した場合には、前記第１の貯留部材３９の貯留部３９ａにパチンコ球Ｓを貯留させたまま前記ステージ部材３２を回転して、該貯留部３９ａに貯留したパチンコ球Ｓの放出方向が前記第２の一般領域１９ｂを向く前記第２位置に変位し、更に該第１の貯留部材３９を上向き状態から下向き状態に変位する前記第２の動作が行なわれる。このように、イレギュラー入賞が発生した際にステージ部材３２および第１の貯留部材３９により第２の動作を行なわせ、前記第１の貯留部材３９の貯留部３９ａに貯留したパチンコ球Ｓを前記入賞空間１７の後方位置に形成した前記第２の一般領域１９ｂに向けて放出するようにしたから、この貯留部３９ａに貯留したパチンコ球Ｓが特別領域１８に通入して重複入賞が生ずることはない。
【００６０】
(第２ステージに決定された場合)
前記第２ステージ３０を入賞装置Ｍの前面側に出現させる場合には、前記駆動機構３５を駆動して前記ステージ部材３２を前記第２停止位置で停止し、ラウンド遊技を開始する。また前記揺動機構４４が駆動されて、前記第２の貯留部材４１は下向き状態から上向き状態に揺動され、この上向き状態に保持される。更に、前記振分け部材２８,２８は、前記入賞口１５,１５に１個目のパチンコ球Ｓが通入した後に、第１状態から第２状態に揺動して保持される。すなわち、前記入賞口１５,１５から上部入賞空間１７ａに通入する２個目以後のパチンコ球Ｓの多くは、振分け部材２８,２８を介して前記第２通路２４ｂに向けて振分けられ、下部入賞空間１７ｂの中央後方に流入する。従って、該パチンコ球Ｓは、前記第２の貯留部材４１の上方に落下する。
【００６１】
前記第２ステージ３０では、前記第２の貯留部材４１が上向き状態で、前記入賞口１５,１５に１個目のパチンコ球Ｓが通入した後は前記ステージ部材３２(第２の貯留部材４１)が左右に揺動しているから、前記第２通路２４ｂから落下するパチンコ球Ｓの該貯留部材４１における貯留部４１ａへの貯留され易さは、前記第１の貯留部材３９の場合より低くなる(すなわち、貯留され難くなる)。しかも、第２の貯留部材４１における貯留部４１ａへの第２受入口４１ｂは、パチンコ球Ｓを１個のみ受入れ可能な広さしかなく、第１の貯留部材３９との関係で、パチンコ球Ｓが貯留され易い・難いと云う差別化が図られる。
【００６２】
そして、前記ラウンド遊技中に、前記入賞空間１７に１０個のパチンコ球Ｓが通入するか、前記開閉部材１６,１６が１８回開閉して前記ラウンド遊技終了条件が成立して、前記ステージ部材３２を前記第１位置(すなわち第２停止位置)で停止し、前記第２の貯留部材４１を上向き状態から下向き状態に変位する前記第１の動作を行ない、図１０に示すように該第２の貯留部材４１の貯留部４１ａに貯留されているパチンコ球Ｓを前記特別領域１８に向けて放出する(図１１参照)。前述したように、前記ステージ部材３２を前記第１位置に停止した状態では、前記第２の貯留部材４１の貯留部４１ａに貯留したパチンコ球Ｓの前記特別領域１８への送入率を略１００％に設定してあるから、該パチンコ球Ｓを特別領域１８に確実に通入させ得る。このように、各ラウンド遊技中に、パチンコ球Ｓが特別領域１８に通入しないとき、すなわち前記イレギュラー入賞が発生しないときに、前記第２の貯留部材４１の貯留部４１ａに貯留したパチンコ球Ｓを特別領域１８に向けて放出する第１の動作をステージ部材３２および第２の貯留部材４１に行なわせるようにしたことで、大当り継続条件を成立させて次のラウンド遊技に移行させ、大当りを継続させ得るから、遊技者の期待感を損ねることはない。但し、第２の貯留部材４１に対するパチンコ球Ｓの貯留し易さ(貯留率)は、第１の貯留部材３９に対するパチンコ球Ｓの貯留し易さ(貯留率)よりは低いため、全体として第２ステージ３０が入賞装置Ｍの前面側に出現した状態での特別領域１８への入賞率は、第１ステージ２９が入賞装置Ｍの前面側に出現した状態での特別領域１８への入賞率より相対的に低くなる。
【００６３】
また、前記入賞空間１７に１０個のパチンコ球Ｓが通入するか、前記開閉部材１６,１６が１８回開閉する前に、前記特別領域１８にパチンコ球Ｓが通入してイレギュラー入賞が発生した場合には、前記第２の貯留部材４１の貯留部４１ａにパチンコ球Ｓを貯留させたまま前記ステージ部材３２を回転して該貯留部４１ａに貯留したパチンコ球Ｓの放出方向が前記第２の一般領域１９ｂを向く前記第２位置に変位し、更に第２の停留部材４１を上向き状態から下向き状態に変位して第２の動作が行なわれる。このように、イレギュラー入賞が発生した際にステージ部材３２および第２の貯留部材４１により第２の動作を行ない、該第２の貯留部材４１の貯留部４１ａに貯留したパチンコ球Ｓを前記入賞空間１７の後方位置に形成した前記第２の一般領域１９ｂに向けて放出するようにしたから、この貯留部４１ａに貯留したパチンコ球Ｓが特別領域１８に通入して重複入賞が生ずることはない。
【００６４】
(第３ステージに決定された場合)
前記第３ステージ３１を入賞装置Ｍの前面側に出現させる場合には、前記駆動機構３５を駆動して前記ステージ部材３２を前記第３停止位置で停止し、ラウンド遊技を開始する。そして、前記入賞空間１７に１０個のパチンコ球Ｓが通入するか、前記開閉部材１６,１６が１８回開閉する前に、前記特別領域１８にパチンコ球Ｓが通入すると、前記大当り継続条件が成立して次のラウンド遊技に移行させ、大当りを継続することができる。ここで、前記案内部材４２にパチンコ球Ｓを貯留する貯留部を形成していないから、パチンコ球Ｓを貯留し得ない。更に、第３ステージ３１が入賞装置Ｍの前面側に出現した状態では、前記ステージ部材３２(案内部材４２)が左右に揺動するよう設定されており、第２通路２４ｂから落下するパチンコ球Ｓの前記特別領域１８への誘導率も低くなっている。なお、前述したように、前記誘導率と送入率とは対応する関係にあることから、前記入賞装置Ｍの前面側に出現したステージが第３ステージ３１の場合には、前記特別領域１８へのパチンコ球Ｓの通入率は、第１ステージ２９や第２ステージ３０の場合より低くなっている。
【００６５】
このように、複数のステージ２９,３０,３１を前面側に入替可能に停止し得るよう構成したステージ部材３２を入賞装置Ｍに配設し、貯留部材３９,４１が配設された第１ステージ２９と第２ステージ３０および案内部材４２が配設された第３ステージ３１との間で、前記特別領域１８へのパチンコ球Ｓの入賞率を異ならせるようにしたから、遊技が画一化することなく面白みが増す。しかも、多くのパチンコ球Ｓが貯留可能な第１の貯留部材３９が配設された第１ステージ２９における前記入賞率は、少ないパチンコ球Ｓが貯留可能な第２の貯留部材４１が配設される第２ステージ３０における前記入賞率より高くなるよう設定してあるから、遊技者が遊技性を容易に理解することができ、不信感を与えることもない。更に、前記ステージ部材３２と貯留部３９ａ,４１ａを備えた第１の貯留部材３９および第２の貯留部材４１とを利用して第２の動作を行なわせるようにしたことで、前記特別領域１８へのパチンコ球Ｓの重複入賞は生じないから、遊技者に不信感を与えることもない。
【００６６】
〔変更例〕
本願は、前述した実施例の構成に限定されるものでなく、その他の構成を適宜に採用することができる。
１．ステージ部材に設けられるステージの数は、実施例のように３つに限定されるものでなく、２つまたは４つ以上の複数であればよい。
２．特別領域への入賞率が最も高い第１ステージに配設される貯留部材における遊技球の貯留数は、３個に限定されるものでなく、５個、や７個等の奇数個であればよく、これら複数の遊技球が並ぶ中央に、特別領域に向けて１個の遊技球を放出可能に貯留し得る貯留部が形成されていればよい。
３．実施例では第１および第２のステージに貯留部材を配設したが、第３ステージにも貯留部材を配設するようにしてもよい。すなわち、ステージ部材に設けられる全てのステージに貯留部材を夫々配設する構成を採用し得る。但し、この場合においても、貯留部材に対する遊技球の貯留し易さが高い程、対応するステージにおける特別領域への入賞率が高くなるよう設定する必要がある。
４．実施例では、第２ステージの第２の貯留部材は、ラウンド遊技中に左右に揺動させることで、貯留部に貯留され難くなるように構成していたが、上下に揺動させることにより、貯留され難くなるようにしてもよい。但し、上下に揺動させる場合には、下方向に傾動させ過ぎると、貯留部に貯留された遊技球も落下してしまうので、該遊技球が落下しない範囲内で上下に揺動させる必要がある。
５．開閉部材の動作形式としては、実施例の揺動形式に限らず、スライド形式であってもよい。すなわち、本体の基枠体に設けた左右の球受け用のスライド部材が、対向閉鎖状態と両外側への離隔開放状態とに移動変化されて入賞口を開閉する構成を採用し得る。
６．開閉部材、振分け部材、ステージ部材および貯留部材や案内部材の可動条件は、実施例で説明したものに限られるものではなく、適宜に変更可能である。
【図面の簡単な説明】
【００６７】
【図１】本発明の好適な実施例に係るパチンコ機の入賞装置を横断して示す概略斜視図である。
【図２】実施例に係るパチンコ機の遊技盤を示す正面図である。
【図３】実施例に係る入賞装置を示す正面図である。
【図４】実施例に係る入賞装置の要部を示す概略斜視図である。
【図５】実施例に係る入賞装置の要部を縦断して示す側面図である。
【図６】実施例に係る入賞装置に配設されるステージ部材を駆動機構と共に示す概略斜視図である。
【図７】実施例に係る入賞装置に配設されるステージ部材を揺動機構と共に示す概略斜視図である。
【図８】実施例に係る入賞装置の要部を、前面側に停止している第１ステージの第１の貯留部材にパチンコ球が貯留された状態で示す概略斜視図である。
【図９】実施例に係る入賞装置の要部を、前面側に停止している第１ステージの第１の貯留部材からパチンコ球が放出された状態で示す概略斜視図である。
【図１０】実施例に係る入賞装置の要部を、前面側に停止している第２ステージの第２の貯留部材にパチンコ球が貯留された状態で示す概略斜視図である。
【図１１】実施例に係る入賞装置の要部を、前面側に停止している第２ステージの第２の貯留部材からパチンコ球が放出された状態で示す概略斜視図である。
【図１２】大当りが成立して第１ステージが選択された場合のラウンド遊技におけるステージ部材、第１の貯留部材および振分け部材の動作態様を示すタイミングチャート図である。
【図１３】大当りが成立して第２ステージが選択された場合のラウンド遊技におけるステージ部材、第２の貯留部材および振分け部材の動作態様を示すタイミングチャート図である。
【符号の説明】
【００６８】
１５ 入賞口(球入口)，１６ 開閉部材，１７ 入賞空間，１８ 特別領域
２９ 第１ステージ，３０ 第２ステージ，３１ 第３ステージ，３２ ステージ部材
３９ 第１の貯留部材，３９ａ 貯留部，３９ｂ 第１受入口，４１ 第２の貯留部材
４１ａ 貯留部，４１ｂ 第２受入口，Ｍ 入賞装置，Ｓ パチンコ球(遊技球)
【図１】
2005152141.tif 000003
【図２】
2005152141.tif 000004
【図３】
2005152141.tif 000005
【図４】
2005152141.tif 000006
【図５】
2005152141.tif 000007
【図６】
2005152141.tif 000008
【図７】
2005152141.tif 000009
【図８】
2005152141.tif 000010
【図９】
2005152141.tif 000011
【図１０】
2005152141.tif 000012
【図１１】
2005152141.tif 000013
【図１２】
2005152141.tif 000014
【図１３】
2005152141.tif 000015